(57)【特許請求の範囲】
【請求項１】
回転軸がディスクプレーヤーのターンテーブルに連結されるスピンドルモータと、前記回転軸の側方に配置され、前記回転軸側に開くよう傾斜しかつ前記回転軸を挟むように前記回転軸に当接可能に形成された１対の傾斜面を有する軸受と、前記軸受を前記回転軸側に付勢するための付勢部材と、を備えたターンテーブル駆動装置において、
前記スピンドルモータをシャーシに対し位置決めするための板金部材であるモータブラケットが前記スピンドルモータのモータ本体の上面から側方に延びる平面を有し、その平面上に配置された前記軸受の中央部に形成されて前記回転軸に対する遠近方向に長い孔に前記モータブラケットに固定された段付きネジが貫通してその軸受がモータブラケットに対し相対移動可能となっており、
前記軸受けの１対の傾斜面は、Ｖ字形状に形成されていて、前記回転軸に当接したそれぞれの傾斜面の各法線の交点が前記回転軸の回転軸線と一致する傾斜角度に形成され、
前記付勢部材が、前記モータブラケットの係止面に両端部が係止されて中間部が前記軸受に設けられた係止爪に係止されている線ばねによって形成されていると共に、その線ばねが前記軸受を前記回転軸の半径方向に付勢していることを特徴とするディスクプレーヤーのターンテーブル駆動装置。
【請求項２】
前記軸受は自己潤滑性樹脂であるポリアセタール樹脂でなる、請求項１に記載のディスクプレーヤーのターンテーブル駆動装置。
【発明の詳細な説明】
【０００１】
【発明の属する技術分野】
本発明は、ターンテーブル装置、特に、ディスクプレーヤーのターンテーブルを回転駆動するためのターンテーブル駆動装置に関する。
【０００２】
【従来の技術】
ＣＤ、ＭＤ等の円板状ディスクを再生するためのディスクプレーヤーは、一般的に、ディスクが載置されるターンテーブルと、ターンテーブルを回転駆動させるためのターンテーブル駆動装置とを備えている。ターンテーブル駆動装置は、ターンテーブルに連結される回転軸を有するモータを備えている。
【０００３】
この装置では、モータが駆動して回転軸が回転することによりターンテーブルが回転する。このとき、回転軸にがたつきが存在する場合が多い。回転軸ががたつくと、ターンテーブルの回転が不安定になるため、ディスクの再生、録音に悪影響を及ぼす場合がある。このような回転軸のがたつきをなくすために、実開平２−５０８６５号公報あるいは特開平８−８７８２５号公報に示されるような技術が既に提案されている。
【０００４】
【発明が解決しようとする課題】
前述の実開平２−５０８６５号公報に示された構成では、モータの回転軸を所定の方向に付勢して回転軸のがたつきをなくすようにしているが、この方向以外の方向に対しては回転軸がぶれる可能性がある。また、特開平８−８７８２５号公報に示された装置では、回転軸が貫通する三角形状の軸受を設け、この軸受の一辺をねじりばねで側方から付勢して、回転軸のがたつきを抑えるようにしている。しかし、軸受は、ねじりばねに付勢された状態でも、付勢方向と垂直な方向に移動可能であり、なお回転軸がぶれる場合が生じる。
【０００５】
本発明の目的は、モータの回転軸のがたつきを抑えつつ軸ぶれを抑えることにある。
【０００６】
【課題を解決するための手段】
請求項１に記載のターンテーブル駆動装置は、回転軸がディスクプレーヤーのターンテーブルに連結されるスピンドルモータと、前記回転軸の側方に配置され、前記回転軸側に開くよう傾斜しかつ前記回転軸を挟むように前記回転軸に当接可能に形成された１対の傾斜面を有する軸受と、前記軸受を前記回転軸側に付勢するための付勢部材と、を備えたターンテーブル駆動装置において、
前記スピンドルモータをシャーシに対し位置決めするための板金部材であるモータブラケットが前記スピンドルモータのモータ本体の上面から側方に延びる平面を有し、その平面上に配置された前記軸受の中央部に形成されて前記回転軸に対する遠近方向に長い孔に前記モータブラケットに固定された段付きネジが貫通してその軸受がモータブラケットに対し相対移動可能となっており、
前記軸受けの１対の傾斜面は、Ｖ字形状に形成されていて、前記回転軸に当接したそれぞれの傾斜面の各法線の交点が前記回転軸の回転軸線と一致する傾斜角度に形成され、
前記付勢部材が、前記モータブラケットの係止面に両端部が係止されて中間部が前記軸受に設けられた係止爪に係止されている線ばねによって形成されていると共に、その線ばねが前記軸受を前記回転軸の半径方向に付勢している。
【０００７】
この装置では、モータが駆動して回転軸が回転することによりターンテーブルが回転する。このとき、軸受は付勢部材の付勢力を受けて回転軸を側方に押圧するため、回転軸のがたつきが抑えられる。ここで、回転軸は、軸受の１対の傾斜面に挟まれるよう当接されている。ここでは、回転軸は、１対の傾斜面により回転軸を挟んで２箇所で支持されているため、軸受が１箇所でのみ回転軸に当接する従来のターンテーブル駆動装置のように、回転軸が軸受に対し付勢方向と異なる方向に移動することがない。したがって、回転軸の軸ぶれを抑えることができる。
【０００８】
また、１対の傾斜面はＶ字形状に形成されている。この装置では、モータの回転軸は軸受のＶ字部分の２辺で支持される。ここでは、簡単な形状で回転軸の軸ぶれを抑えることができる。
【０００９】
この装置では、軸受が回転軸に当接した場合に、１対の傾斜面の各法線の交点が回転軸の回転軸線と一致しており、回転軸が安定して回転する。この装置では、軸受は自己潤滑性樹脂で形成されているため、軸受が回転軸に当接して場合に回転軸との間に生じる摩擦が抑えられる。
【００１０】
請求項２に記載のターンテーブル駆動装置では、請求項１の装置において、前記軸受が自己潤滑性樹脂であるポリアセタール樹脂でなる。この装置では、自己潤滑性樹脂としてポリアセタール樹脂を用いることにより、軸受と回転軸との間の摩擦を抑えられる。
【００１１】
【発明の実施の形態】
図１及び２に本発明の一実施形態が採用されたターンテーブル装置１を示す。ターンテーブル駆動装置１は、ディスク１７が載置されたターンテーブル３を回転駆動するための装置であり、スピンドルモータ５と、軸受７と、モータブラケット１５と、線ばね９とを備えている。
【００１２】
スピンドルモータ５は、鉛直方向に延びる回転軸１１と、回転軸１１を回転駆動するためのモータ本体１３とからなる。回転軸１１の先端部はターンテーブル３の中心部に連結されており、これにより回転軸１１とターンテーブル３とが一体回転可能となっている。軸受７は、回転軸１１を支持するための部材であり、回転軸１１の側方に配置されている。軸受７の先端部には、図２に示されるように、回転軸１１に当接可能な１対の傾斜面７ａが回転軸１１側に開いて形成されており、この実施形態では平面視Ｖ字形状に形成されている。図３に示されるように、１対の傾斜面７ａは、１対の傾斜面７ａが回転軸１１に当接した場合に、各傾斜面７ａの法線ｓの交点ｏが回転軸１１の回転中心と一致するような傾斜角度に形成されている。軸受７の中央部には、長手方向に延びる孔７ｂが形成されており、孔７ｂ内にはモータブラケット１５に固定された段付きネジ２１が貫通して配置されている。これにより、軸受７はモータブラケット１５に対し所定距離だけ相対移動可能となっている。軸受７の後端部には、線ばね９が係止される係止爪７ｃが設けられている。この軸受７は自己潤滑性樹脂であるポリアセタール樹脂により形成されている。これにより、軸受７と回転軸１１との間に生じる摩擦力は低減される。
【００１３】
モータブラケット１５は、スピンドルモータ５をシャーシ１９に対し位置決めするための板金部材である。モータブラケット１５は、モータ本体１３の上面から側方に延びる平面１５ａを有しており、平面１５ａ上に軸受７が相対移動可能に配置されている。モータブラケット１５の両側端部には、線ばね９が係止される係止面１５ｂが上方に延びて形成されている。
【００１４】
線ばね９は、軸受け７を回転軸１１側に付勢するための部材であり、両端部９ａがモータブラケット１５の係止面１５ｂに係止され、中間部９ｂが軸受の係止爪７ｃに係止されている。これにより、１対の傾斜面７ａは回転軸１１に当接して、回転軸１１を図１の矢印Ｐ方向に押圧する。次に、ターンテーブル装置１の動作について説明する。
【００１５】
ターンテーブル３にディスク１７が載置され、ディスクプレーヤーの図示しない操作部からディスクの再生が指示されると、スピンドルモータ５が駆動されて回転軸１１が回転する。これにより、ターンテーブル３が回転しディスク１７が回転する。そして、図示しない制御部によりディスクのトラッキングサーボが行われ、図示しないピックアップによりディスク１７上の情報が読みとられる。
【００１６】
このとき、軸受７は、線ばね９の付勢力を受けて、回転軸１１を矢印Ｐ方向に押圧する。これにより、回転軸１１のモータ本体１３に対するがたつきが抑えられている。また、軸受７の１対の傾斜面７ａは、回転軸１１を挟むよう２箇所で支持されている。このため、軸受が１箇所でのみ回転軸１１に当接する従来のターンテーブル駆動装置のように、回転軸１１が軸受７に対し付勢方向と異なる方向に移動することがない。したがって、本実施形態の装置１によれば回転軸１１が軸ぶれを起こすのを抑えることができる。また、軸受７が回転軸１１に当接した状態では、１対の傾斜面７ａの各法線ｓの交点ｏが回転軸１１の回転中心と一致しているため、回転軸１１の回転は比較的安定する。さらに、軸受７はポリアセタール樹脂で形成されているため、軸受７が回転軸１１を押圧することにより両者の間に生じる摩擦力が低減される。
【００１７】
【発明の効果】
本発明によれば、モータの回転軸のがたつきを抑えつつ軸ぶれを抑えることができる。
【図面の簡単な説明】
【図１】本発明の一実施形態が採用されたターンテーブル装置を示す縦断面概略図。
【図２】前記ターンテーブル装置を示す平面概略図。
【図３】前記ターンテーブル装置の軸受を示す縦断面図。
【符号の説明】
１ターンテーブル装置
３ターンテーブル
５スピンドルモータ
７軸受
７ａ１対の傾斜面
９線ばね
１１回転軸
以上
【図１】
0003615991.tif 000002
【図２】
0003615991.tif 000003
【図３】
0003615991.tif 000004